(57)【要約】      （修正有）【課題】おしぼり、湿タオル等に使用する布地を冷凍する際、布地同士がくっつき合うことなく冷凍でき、冷凍布地を解凍しても布地の劣化を防止することができる冷凍用不凍性バインダ装置を提供する。【解決手段】一縁部に沿ってストッパー１７を設けた非吸水性の裏表紙１２と、非吸水性の表紙１０と、該表紙１０と裏表紙１２間に挟み込んだ不凍シート２０とを、該ストッパー１７を該不凍シート２０側にして該一縁部側で綴じた、冷凍装置に収容可能な冷凍用不凍性バインダ装置であって、水分を含ませた平面状の布地を二つ折りにして前記不凍シート２０を挟持し、前記表紙１０または前記裏表紙１２により該二つ折りにした布地を挟持して被冷凍ユニットを形成し、該水分を含ませた布地を含む前記被冷凍ユニットを、該布地を水平にして前記冷凍装置にて冷凍させる。【選択図】図２（ａ）
0003178636.tif 000002
【実用新案登録請求の範囲】
【請求項１】
一縁部に沿ってストッパーを設けた非吸水性の裏表紙と、非吸水性の表紙と、該表紙と裏表紙間に挟み込んだ不凍シートとを、該ストッパーを該不凍シート側にして該一縁部側で綴じた、冷凍装置に収容可能な冷凍用不凍性バインダ装置であって、
水分を含ませた平面状の布地を二つ折りにして前記不凍シートを挟持し、前記表紙または前記裏表紙により該二つ折りにした布地を挟持して被冷凍ユニットを形成し、
該水分を含ませた布地を含む前記被冷凍ユニットを、該布地を水平にして前記冷凍装置にて冷凍させる、冷凍用不凍性バインダ装置。
【請求項２】
非吸水性の表紙と裏表紙と、該表紙と裏表紙間に挟み込んだ複数の不凍シートとを、それぞれの一縁部で綴じた冷凍用不凍性バインダ装置であって、
任意の前記不凍シートを、水分を含ませた平面状の布地を二つ折りにして挟持し、該不凍シートの上下の前記不凍シートにより該二つ折りにした布地を挟持して被冷凍ユニットを形成し、
前記水分を含ませた布地を含む前記被冷凍ユニットを、前記不凍シートを水平にして前記冷凍装置にて冷凍させる、冷凍用不凍性バインダ装置。
【請求項３】
非吸水性の表紙と裏表紙と、該表紙と裏表紙間に挟み込んだ複数の不凍シートとを、それぞれの一縁部で綴じた冷凍用不凍性バインダ装置であって、
水分を含ませた平面状の布地を、任意の連続する２枚の前記不凍シートにより挟持して被冷凍ユニットを形成し、
前記水分を含ませた布地を含む前記被冷凍ユニットを、前記不凍シートを水平にして前記冷凍装置にて冷凍させる、冷凍用不凍性バインダ装置。
【請求項４】
前記表紙及び／又は裏表紙と前記不凍シート間に、前記水分を含ませた平面状の布地を挟持して冷凍する、請求項２または３に記載の冷凍用不凍性バインダ装置。
【請求項５】
前記表紙及び／又は裏表紙と前記不凍シート間あるいは前記不凍シート間に、前記被冷凍ユニットに挟持された前記水分を含ませた布地を滑り止めするためのストッパーを設けた、請求項２乃至４のいずれか１項に記載の冷凍用不凍性バインダ装置。
【請求項６】
前記不凍シート及び／又は前記表紙及び／又は裏表紙は山と谷が連続する波板状である、請求項１乃至５のいずれか１項に記載の冷凍用不凍性バインダ装置。
【請求項７】
前記表紙と裏表紙間に挟み込んだ複数の不凍シートの一縁部の少なくとも２か所を、開閉自在なリングで綴じた請求項１乃至６のいずれか１項に記載の冷凍用不凍性バインダ装置。
【請求項８】
前記表紙、前記不凍シート、前記裏表紙を綴じた前記一縁部側に、該表紙から該裏表紙まで貫通する孔を複数設けた請求項１に記載の冷凍用不凍性バインダ装置。
【請求項９】
不凍性の板に鉛直に複数の不凍性の支柱を立設し、
前記不凍性の支柱のそれぞれに請求項８に記載の冷凍用不凍性バインダ装置を貫通する孔をそれぞれ挿通させて、
前記不凍性の板上に前記冷凍用不凍性バインダ装置を、鉛直方向に複数積み上げて収納可能な係止台。
【考案の詳細な説明】
【技術分野】
【０００１】
本考案は、冷凍用不凍性バインダ装置および冷凍布地の製造方法に関する。
【背景技術】
【０００２】
おしぼりは、飲食店やパーティー会場、会議場、スポーツ施設などで古くから使用されているが、いずれも適度な湿性を保って丸く巻かれた形状で提供されていた。
【０００３】
このようなおしぼりを、使用者が必要な時に必要なだけ、その場で製造し供給する装置は多数公開されている。例えば特許文献１は、ロール状に巻かれた乾布ロールを適度な長さにカットして含湿させた後、これを巻き取り機構により従来からある布おしぼりの形状になるよう丸く巻いて提供する湿タオル自動供給装置を開示している。
【０００４】
また、従来の巻き取り機構による湿タオル自動供給装置の問題点を解決するために、特許文献２は、折り畳みアームを設けて自動的に折り畳み形態の湿タオルを形成する湿タオル供給装置を提供している。特許文献２の発明によれば、従来からある丸く巻いた布おしぼりの形状とは異なり、手作業で折り畳んだような人間味のある形態で湿タオルを提供することができる。
【０００５】
しかし、地球温暖化の影響か、日本の平均気温はここ２０年ほどで数度も上昇しており、近年の特に夏の暑さといえば一昔前の暑さとは比べ物にならないほど暑く感じるものとなっており、熱中症にかかる人も急増している。このため、外出したり、ジョギングしたりして家に帰った時や、ゴルフの練習場、バッティングセンター、スポーツ施設等で汗を流した後は、従来のような湿おしぼりでは十分な清涼感が得られず、物足りなさを感じる人も多くなっている。
【０００６】
そこで例えば特許文献３は、真夏の炎天下等においてゴルフプレイヤーが携帯して使用するために、必要時いつでもある程度の冷却感の持続性をもって使用することができる冷却タオルを提供している。
【０００７】
すなわち、特許文献３においては、「二つ折り又は２枚のタオル地の三辺周縁部が縫合されて扁平状袋部（７）が形成され、かつ該扁平状袋部（７）の一辺開口部が面状ファスナ等の開閉手段により開閉可能とされたタオル本体（１）と、該タオル本体（１）の前記扁平状袋部（７）内に挿入された、空気（冷気）のみを透過させ、水分および湿気を透過させないフィルム製の扁平状冷却バック（１０）と、該扁平状冷却バック（１０）の適合孔に挿着されたパイプを介して前記扁平状冷却バック（１０）内に高圧冷却ガスを注入する携帯型の冷気スプレーとを備えた構成を特徴とする冷却タオル」が開示されている。
【０００８】
特許文献３の発明によれば、必要に応じて冷気スプレーから高圧冷却ガスをタオル本体（１）の扁平状冷却バック（１０）に注入することにより、扁平状冷却バック（１０）から噴出する冷気によってタオル本体（１）全体を冷却でき、携帯したプレイヤーは必要に応じいつでもある程度の冷却感の持続性をもって上記冷却タオルを使用することができる。
【０００９】
【特許文献１】特開平１０−１９２１８６号公報
【特許文献２】特許第３５９０９５４号公報
【特許文献３】特開２００６−１６９８６６号公報
【考案の概要】
【考案が解決しようとする課題】
【００１０】
しかし、近年の暑い夏における傾向では、おしぼりや湿タオルには、ちょっとした清涼感を得るとか汗を早く収める程度の湿性というより、熱い体を急冷して一刻も早い冷却感を得うることが好ましい。
【００１１】
このため、従来のおしぼりを冷凍装置で冷凍するのが手早いが、冷凍するおしぼり等の布地を従来のように丸めた状態、あるいは折り畳んだ状態で冷凍すると、布地同士が氷着して、冷凍装置から取り出した時にすぐに使用できないという問題があった。また、これらの冷凍したおしぼり等を解凍したとき、その布地の劣化が激しく、何度も再利用できないという問題も生じた。
【００１２】
そこで本考案は、おしぼり、湿タオル等に使用する布地を冷凍する際、布地同士がくっつき合うことなく冷凍でき、冷凍布地を解凍しても布地の劣化を防止することができる冷凍用不凍性バインダ装置および冷凍布地、すなわち冷凍おしぼりの製造方法を提供することを目的とする。
【課題を解決するための手段】
【００１３】
本考案に係る冷凍用不凍性バインダ装置は、一縁部に沿ってストッパーを設けた非吸水性の裏表紙と、非吸水性の表紙と、該表紙と裏表紙間に挟み込んだ不凍シートとを、該ストッパーを該不凍シート側にして該一縁部側で綴じた、冷凍装置に収容可能な冷凍用不凍性バインダ装置であって、水分を含ませた平面状の布地を二つ折りにして前記不凍シートを挟持し、前記表紙または前記裏表紙により該二つ折りにした布地を挟持して被冷凍ユニットを形成し、該水分を含ませた布地を含む前記被冷凍ユニットを、該布地を水平にして前記冷凍装置にて冷凍させる。
【００１４】
本考案に係る冷凍用不凍性バインダ装置は、非吸水性の表紙と裏表紙と、該表紙と裏表紙間に挟み込んだ複数の不凍シートとを、それぞれの一縁部で綴じた冷凍用不凍性バインダ装置であって、任意の前記不凍シートを、水分を含ませた平面状の布地を二つ折りにして挟持し、該不凍シートの上下の前記不凍シートにより該二つ折りにした布地を挟持して被冷凍ユニットを形成し、前記水分を含ませた布地を含む前記被冷凍ユニットを、前記不凍シートを水平にして前記冷凍装置にて冷凍させてもよい。
【００１５】
本考案に係る冷凍用不凍性バインダ装置は、非吸水性の表紙と裏表紙と、該表紙と裏表紙間に挟み込んだ複数の不凍シートとを、それぞれの一縁部で綴じた冷凍用不凍性バインダ装置であって、水分を含ませた平面状の布地を、任意の連続する２枚の前記不凍シートにより挟持して被冷凍ユニットを形成し、前記水分を含ませた布地を含む前記被冷凍ユニットを、前記不凍シートを水平にして前記冷凍装置にて冷凍させてもよい。
【００１６】
本考案に係る冷凍用不凍性バインダ装置は、前記表紙及び／又は裏表紙と前記不凍シート間に、前記水分を含ませた平面状の布地を挟持して冷凍し得る。
【００１７】
本考案に係る冷凍用不凍性バインダ装置は、前記表紙及び／又は裏表紙と前記不凍シート間あるいは前記不凍シート間に、前記被冷凍ユニットに挟持された前記水分を含ませた布地を滑り止めするためのストッパーを設けるのが好適である。
【００１８】
本考案に係る冷凍用不凍性バインダ装置は、前記不凍シート及び／又は前記表紙及び／又は裏表紙は山と谷が連続する波板状であってもよい。
【００１９】
本考案に係る冷凍用不凍性バインダ装置は、前記表紙と裏表紙間に挟み込んだ複数の不凍シートの一縁部の少なくとも２か所を、開閉自在なリングで綴じてもよい。
【００２０】
本考案に係る冷凍用不凍性バインダ装置は、前記表紙、前記不凍シート、前記裏表紙を綴じた前記一縁部側に、該表紙から該裏表紙まで貫通する孔を複数設けるのが好適である。
【００２１】
本考案に係る係止台は、不凍性の板に鉛直に複数の不凍性の支柱を立設し、前記不凍性の支柱のそれぞれに上記冷凍用不凍性バインダ装置を貫通する孔をそれぞれ挿通させて、前記不凍性の板上に前記冷凍用不凍性バインダ装置を、鉛直方向に複数積み上げて収納可能である。
【００２２】
本考案に係る冷凍布地の製造方法は、水分を含ませた平面状の布地を準備するステップと、冷凍装置を準備するステップと、前記平面状の布地を挟持する複数の平面状の不凍シートを準備するステップと、上下の連続する２枚の前記平面状の不凍シート間に前記平面状の布地を挟持して被冷凍ユニットを形成するステップと、前記被冷凍ユニットを、前記不凍シートを水平にして前記冷凍装置に収容して冷凍させるステップと、を含む。
【００２３】
本考案に係る冷凍布地の製造方法は、水分を含ませた平面状の布地を準備するステップと、冷凍装置を準備するステップと、前記平面状の布地を挟持する３枚以上の平面状の不凍シートを準備するステップと、上中下の連続する３枚の前記平面状の不凍シート中、真ん中の不凍シートを二つ折りにした前記平面状の布地により挟み、該真ん中の不凍シートを挟み込んだ平面状の布地を、該上下の不凍シートにより挟持して被冷凍ユニットを形成するステップと、前記被冷凍ユニットを、前記不凍シートを水平にして前記冷凍装置に収容して冷凍させるステップと、を含み得る。
【００２４】
本考案に係る冷凍布地の製造方法において、前記冷凍させるステップは、前記被冷凍ユニットを形成する前記上下の不凍シートにより、該被冷凍ユニットを形成する前記平面状の布地とは別の平面状の布地を挟持して、該被冷凍ユニットの上下に連続する別の被冷凍ユニットを含む被冷凍体を形成してもよい。
【考案の効果】
【００２５】
本考案に係る冷凍用不凍性バインダ装置は、水分を含ませた平面状の布地を、連続する２枚の不凍シート間あるいは表紙又は裏表紙と不凍シート間に挟持して冷凍装置に収容して冷凍させたので、布地が凍結しても不凍シート、表紙等に氷着することなく、冷凍布地を容易に取り出すことができる。布地同士は不凍シートにより隔てられているので、布地同士がくっつき合うことなく冷凍でき、くっつき合いによる損傷を防ぐことができるので、冷凍布地を解凍しても布地の劣化を極力防止することができる。
【００２６】
あるいは、水分を含ませた平面状の布地を二つ折りにして不凍シートを挟持し、当該不凍シートの上下の不凍シート間によりその布地を挟持して被冷凍ユニットを形成して冷凍させても、冷凍布地を簡単に得ることができる。二つ折りにしても、間に不凍シートを挟持しているので布地同士がくっつき合うことなく冷凍でき、コンパクトな冷凍布地を提供することができる。
【００２７】
あるいは、本考案の冷凍用不凍性バインダ装置の表紙と裏表紙は非吸水性であるので、表紙及び／又は裏表紙と不凍シート間に、水分を含ませた平面状の布地を挟持して冷凍しても、やはり極冷の冷凍布地を容易に得ることができる。
【００２８】
表紙及び／又は裏表紙と不凍シート間、あるいは不凍シート間に、被冷凍ユニットに挟持された水分を含ませた布地を滑り止めするためのストッパーを設けたので、冷凍装置から冷凍用不凍性バインダ装置を取出し、被冷凍ユニットから冷凍布地を分離する際、リングや留め具などの背表紙付近の構造と冷凍布地との氷着を防止することができる。
【００２９】
平面状の不凍シートは山と谷が連続する波板状とすると、得られる冷凍布地も波状となり、例えば冷凍布地を顔に当てて顔を冷やす場合、冷凍布地の顔に当たる部分を増加させることができ、効率的に顔を冷却することができる。
【００３０】
本考案の冷凍用不凍性バインダ装置は、表紙と裏表紙間に挟み込んだ複数の不凍シートの一縁部の少なくとも２か所を開閉自在なリングで綴じ外し自由とすれば、不凍シートを自由に増減することができて好適である。また、表紙と裏表紙を硬質の材料とすれば、持ち運びや冷凍庫への設置も容易である。
【００３１】
本考案に係る冷凍布地の製造方法によれば、通常のタオル、手拭い等に水を含ませて本考案の冷凍用不凍性バインダ装置に挟み、通常用いられる冷凍装置で冷凍するだけで容易に冷凍布地を得ることができるので、本考案の冷凍用不凍性バインダ装置以外の設備投資も特に必要なく、非常に安価に手軽に冷凍布地を生産することができる。
【００３２】
本考案により得られる冷凍布地は、従来のおしぼり等と異なり冷凍してあるので、特に夏の暑い日や運動後に従来と異なる冷涼感を得ることができる。熱中症や発熱時にも効果を発揮し、従来のおしぼりや濡れタオルなどより冷却効果が長持ちする。
【図面の簡単な説明】
【００３３】
【図１（ａ）】本考案に係る冷凍用不凍性バインダ装置の側面図（閉じた状態）。
【図１（ｂ）】本考案に係る冷凍用不凍性バインダ装置の正面図（閉じた状態）。
【図１（ｃ）】本考案に係る冷凍用不凍性バインダ装置の平面図（閉じた状態）。
【図１（ｄ）】本考案に係る冷凍布地を挟持した冷凍用不凍性バインダ装置の側面図（冷凍布地を挟持した状態）。
【図２（ａ）】本考案に係る冷凍用不凍性バインダ装置の斜視図（開いた状態）。
【図２（ｂ）】本考案に係る冷凍布地を挟持した冷凍用不凍性バインダ装置の側面図（開いた状態）。
【図３（ａ）】本考案に係る冷凍布地を挟持した冷凍用不凍性バインダ装置の側面図。
【図３（ｂ）】本考案に係る冷凍布地を挟持した冷凍用不凍性バインダ装置の別の態様の側面図。
【図４】本考案に係る冷凍布地を挟持した冷凍用不凍性バインダ装置の拡大側面図。
【図５】本考案に係る冷凍布地を挟持した波板状不凍シートを有する冷凍用不凍性バインダ装置の正面図。
【図６】本考案に係る別の実施形態の冷凍布地を挟持した冷凍用不凍性バインダ装置の側面図。
【図７】本考案に係る冷凍布地を挟持した冷凍用不凍性バインダ装置を冷凍装置に収容する態様を示す模式図。
【図８】本考案に係る冷凍用不凍性バインダ装置の斜視図（開いた状態）。
【図９】本考案に係る冷凍用不凍性バインダ装置を係止台に収納する様子を表す側面図。
【考案を実施するための形態】
【００３４】
以下、図面を参照しながら本考案に係る冷凍用不凍性バインダ装置の実施形態について説明する。なお、以下各図面を通して同一の構成要素には同一の符号を使用するものとする。
【００３５】
本考案に係る冷凍用不凍性バインダ装置１は、図１（ａ）〜（ｃ）に示すように、一縁部に沿ってストッパー１７を設けた非吸水性の裏表紙１２と、非吸水性の表紙１０と、表紙１０と裏表紙１２間に挟み込んだ不凍シート２０とを、ストッパー１７を不凍シート２０側にして当該一縁部側で綴じた、図７のように冷凍装置１００に収容可能な冷凍用不凍性バインダ装置１である。表紙１０、裏表紙１２、不凍シート２０は、それぞれの間に下記の水分を含ませた平面状の布地３を挟持できる程度の間隔ができるように、背表紙１６を形成して上記一縁部側で綴じるのが望ましい。本実施形態では、不凍シート２０は支軸１８により、裏表紙１２に対して回動可能に背表紙１６に接続されている。
【００３６】
表紙１０、裏表紙１２、不凍シート２０は、非吸水性または撥水性の、例えば塩化ビニールやアクリルやプラスチックなどで形成し、冷凍装置１００で冷凍しても付着した水分が凍りつかないようにする。図１（ｂ）において、裏表紙１２と不凍シート２０は波板状であるが、表紙１０も波板状であってもよく、あるいは、全て平板状であってもよい。また、表紙１０、裏表紙１２は、内部が外から見えるように透明性であるのが好ましい。
【００３７】
冷凍用不凍性バインダ装置１は、図１（ｄ）のように、水分を含ませた平面状の布地３を二つ折りにして不凍シート２０を挟持し、表紙１０または裏表紙１２により当該二つ折りにした布地３を挟持して被冷凍ユニット５を形成し、水分を含ませた布地３を含むこの被冷凍ユニット５を、布地３を水平にして冷凍装置１００にて冷凍させる。ストッパー１７は、布地３を二つ折りにして不凍シート２０を挟持する際に、水分を含ませた布地３が背表紙１６付近まで達して支軸１８等を氷結させることを好適に防止する。
【００３８】
所定の時間を経て冷凍用不凍性バインダ装置１を冷凍装置１００から取り出すと、冷凍布地、すなわち、冷凍状態のおしぼりを被冷凍ユニット５から分離して得ることができる。複数の冷凍用不凍性バインダ装置１を重ねて冷凍装置１００で冷凍すれば、複数の冷凍状態のおしぼりを得ることができる。
【００３９】
水分を含ませた複数の布地３を同時に冷凍させる冷凍用不凍性バインダ装置１を図２（ａ）、（ｂ）に示す。本実施形態の冷凍用不凍性バインダ装置１は、非吸水性の表紙１０と裏表紙１２と、表紙１０と裏表紙１２間に挟み込んだ複数の不凍シート２０、２０、２０、・・・とを、それぞれの一縁部で綴じた冷凍用不凍性バインダ装置１であって、水分を含ませた平面状の布地３、３、３、・・・を、任意の連続する２枚の不凍シート２０、２０間に挟持して被冷凍ユニット５を形成し、水分を含ませた布地３を含む被冷凍ユニット５を、図７のように不凍シート２０、２０、２０、・・・を水平にして冷凍装置１００に収容して冷凍させたバインダ装置１である。以下、特に混乱の生じない場合は、複数の水分を含ませた平面状の布地３、３、３、・・・を単に（平面状の）布地３と、複数の不凍シート２０、２０、２０、・・・を単に不凍シート２０と記す場合もある。
【００４０】
表紙１０と裏表紙１２は、非吸水性または撥水性かつ柔軟性はあるが硬質の、例えばアクリルやプラスチックや塩化ビニールなどで形成するのが望ましい。また、不凍シート２０は軟質が好ましいが、やはり非吸水性や撥水性のアクリル、プラスチック、塩化ビニール等で形成するのが望ましい。ただし、これら表紙１０、裏表紙１２、不凍シート２０は、水分が付着して冷凍した際でも、その表面が凍りつかなければよく、その構成材料は特に限定されるものではない。
【００４１】
また、図２のように、表紙１０と裏表紙１２間に挟み込んだ複数の不凍シート２０の一縁部の少なくとも２か所に形成した孔１３を、リング１４で綴じるのが便利である。リング１４を開閉自在とすれば、バインダー・ノートのように、リング１４を開閉して不凍シート２０を容易に増減させることができる。
【００４２】
あるいは図３（ａ）のように、表紙１０と裏表紙１２とその間に挟み込んだ不凍シート２０とを、すべてリング１４で綴じるようにしてもよい。更に、表紙１０と裏表紙１２間に挟んだ複数の不凍シート２０間に、図３（ｂ）に示すような表紙１０、裏表紙１２と同様な非吸水性で柔軟性はあるが硬質のアクリル板などを綴じて仕切り板１１としてもよい。なお、表紙１０、仕切り板１１、裏表紙１２、不凍シート２０等は、必ずしもリング１４で綴じる必要はなく、図３（ｂ）のように留め具１５を上記不凍シート２０等に空けた孔１３（図２参照）に貫通させて閉じるようにしてもよい。また、図２（ａ）、（ｂ）のように、表紙１０と裏表紙１２とを背表紙１６により連結させてもよい。
【００４３】
本実施形態において上記被冷凍ユニット５とは、図４に示すように、水分を含ませた平面状の布地３を任意の連続する２枚の不凍シート２０、２０間に挟持した単位をいうが、表紙１０、仕切り板１１または裏表紙１２と不凍シート２０間に布地３を挟持した単位をも含む。すなわち、非吸水性の表紙１０、仕切り板１１または裏表紙１２と不凍シート間２０に、水分を含ませた平面状の布地３を挟持して冷凍してもよい（図４最下段参照）。
【００４４】
表紙１０及び／又は裏表紙１２と不凍シート２０間、あるいは不凍シート２０間に、被冷凍ユニット５に挟持された水分を含ませた布地３を滑り止めするためのストッパー１７を設けるのが好ましい。表紙１０、裏表紙１２の不凍シート２０を挟み込む側に、あるいは不凍シート２０の上下に、これらを綴じる上記一縁部に沿って、図２のようにストッパー１７を設ける。冷凍装置１００から冷凍用不凍性バインダ装置１を取出し、被冷凍ユニット５から冷凍布地３’を分離する際、リング１４や留め具１５などの背表紙１６付近の構造と冷凍布地３’との氷着を防止することができる。
【００４５】
また、複数の平面状の不凍シート２０は、図５のように山と谷が連続する波板状であってもよい。波板状の２枚の不凍シート２０、２０間に水分を含ませた平面状の布地３を挟持して冷凍ユニット５を構成し、冷凍すれば、波板状に凍りついた冷凍布地３’を得ることができる。
【００４６】
冷凍装置１００は、本考案の冷凍用不凍性バインダ装置１を収容可能な冷凍装置１００であれば、いかなる公知の冷凍装置であってもよい。家庭用の冷蔵庫に備えた冷凍庫であってもよく、氷やドライアイスで冷却する冷凍ボックスであってもよい。氷点下５℃〜４０℃程度の温度に冷却できるものが望ましい。
【００４７】
以上説明した冷凍用不凍性バインダ装置１より、凍りついた冷凍布地３’を容易に取り出すことができる。すなわち、不凍シート２０および表紙１０、裏表紙１２はいずれも不凍性であるので、表紙１０または裏表紙１２と不凍シート２０間、不凍シート２０、２０間に挟持した水分を含ませた布地３のみが冷凍装置１００内で凍り、表紙１０や裏表紙１２、不凍シート２０と氷着することなく冷凍布地３’として取り出すことができる。
【００４８】
このような冷凍布地３’は、以下のようなステップを含んで製造することができる。
（１）水分を含ませた平面状の布地３を準備するステップ
（２）冷凍装置１００を準備するステップ
（３）平面状の布地３を挟持する複数の平面状の不凍シート２０を準備するステップ
（４）上下の連続する２枚の平面状の不凍シート２０、２０間に平面状の布地３を挟持して被冷凍ユニット５を形成するステップ
（５）被冷凍ユニット５を、不凍シート２０を水平にして冷凍装置１００に収容して冷凍させるステップ
【００４９】
上記ステップ（４）においては、不凍シート２０には、上述の冷凍用不凍性バインダ装置１が有する非吸水性の表紙１０と裏表紙１２をも含むものとする。すなわち、表紙１０及び／又は裏表紙１２と不凍シート２０間に水分を含ませた布地３を挟持して冷凍しても、冷凍布地３’を得ることができる。
【００５０】
ステップ（５）において被冷凍ユニット５を冷凍させた後、被冷凍ユニット５の不凍シート２０、２０間から冷凍布地３’を容易に取り出すことができる。すなわち、布地３同士は不凍シート２０により隔てられているので、布地３同士がくっつき合うことなく冷凍布地３’を得ることができる。
【００５１】
次に、本考案に係る冷凍用不凍性バインダ装置１の別の実施形態について説明する。
【００５２】
本考案に係る冷凍布地を挟持した別の実施形態の冷凍用不凍性バインダ装置１’は、図６に示すように、非吸水性の表紙１０と裏表紙１２と、表紙１０と裏表紙１２間に挟み込んだ複数の不凍シート２０とを、それぞれの一縁部で綴じた冷凍用不凍性バインダ装置１’であって、任意の不凍シート２０を、水分を含ませた平面状の布地３を二つ折りにして挟持し、当該不凍シート２０の上下の不凍シート２０、２０間により当該二つ折りにした布地３を挟持して被冷凍ユニット５を形成し、水分を含ませた布地３を含む被冷凍ユニット５を、不凍シート２０を水平にして冷凍装置１００に収容して冷凍させたものである。
【００５３】
上記実施形態の冷凍用不凍性バインダ装置１とは、被冷凍ユニット５の形態のみ異なるが、他の構成要素は同一であり、上記実施形態の冷凍用不凍性バインダ装置１と同様、凍りついた冷凍布地３’を容易に取り出すことができる。
【００５４】
このような冷凍布地３’は、以下のようなステップを含んで製造することができる。
（１）水分を含ませた平面状の布地３を準備するステップ
（２）冷凍装置１００を準備するステップ
（３）’平面状の布地３を挟持する３枚以上の平面状の不凍シート２０を準備するステップ
（４）’上中下の連続する３枚の平面状の不凍シート２０、２０、２０中、真ん中の不凍シート２０を二つ折りにした平面状の布地３により挟み、当該真ん中の不凍シート２０を挟み込んだ平面状の布地３を、上下の不凍シート２０、２０により挟持して被冷凍ユニット５を形成するステップ
（５）被冷凍ユニット５を、不凍シート２０を水平にして冷凍装置１００に収容して冷凍させるステップ
【００５５】
上記製造方法は、布地３を二つ折りにしても、間に不凍シート２０を挟持しているので布地３同士がくっつき合うことなく冷凍でき、コンパクトな冷凍布地３’を提供することができる。
【実施例１】
【００５６】
図８は、本考案に係る冷凍用不凍性バインダ装置１の斜視図である。表紙１０、裏表紙１２、不凍シート２０は、非吸水性または撥水性の塩化ビニール等で形成され、いずれも柔軟性はあるが硬質である。裏表紙１２、不凍シート２０は山と谷が連続する波板状であり、表紙１０と裏表紙１２は透明性で、外部から不凍シート２０側が見えるようにしている。さらに、冷凍用不凍性バインダ装置１は、表紙１０、不凍シート２０、裏表紙１２を綴じた上記一縁部側に、表紙１０から裏表紙１２まで貫通する孔１３を複数設けている。
【００５７】
水分を含ませた平面状の布地３を二つ折りにして不凍シート２０を挟持し、これを表紙１０および裏表紙１２で挟み込むと、上述のように冷凍用不凍性バインダ装置１は被冷凍ユニット５を形成する。
【００５８】
図９のように、不凍性の板２０２に鉛直に不凍性の支柱２０４を立てた係止台２００を準備する。係止台２００を冷凍装置１００内に収容し、被冷凍ユニット５を形成した冷凍用不凍性バインダ装置１の孔１３を支柱２０４に係止することによって、複数の冷凍用不凍性バインダ装置１を整然と冷凍装置１００内で冷凍することができる。あるいは、複数の冷凍用不凍性バインダ装置１を係止した係止台２００ごと冷凍装置１００内外に移動させることができる。
【００５９】
冷凍布地３’が必要な場合は、被冷凍ユニット５を形成した冷凍用不凍性バインダ装置１を支柱２０４から外して冷凍装置１００外に取出し、冷凍用不凍性バインダ装置１の表紙１０、裏表紙１２間から冷凍布地３’を滑らかに抜き取ることができる。
【００６０】
なお、係止台２００は、図２（ａ）、（ｂ）や図３（ａ）、（ｂ）のように、バインダーの一部としてもよい。すなわち、支柱２０４の上部に表紙１０を取り付け可能としたり、不凍性の板２０２を裏表紙１２として、表紙１０や背表紙１６を具備させてもよい。
【００６１】
以上、本考案に係る冷凍用不凍性バインダ装置について実施形態、実施例を用いて説明したが、本考案はこれらの態様に限定されるものではない。その他、本考案は、その主旨を逸脱しない範囲で当業者の知識に基づき種々の改良、修正、変更を加えた態様で実施できるものである。
【産業上の利用可能性】
【００６２】
本考案に係る冷凍用不凍性バインダ装置は、飲食施設やスポーツ施設で提供するおしぼり、汗拭きとして利用することが出来る。
【符号の説明】
【００６３】
１、１’：冷凍用不凍性バインダ装置
３：（水分を含ませた平面状の）布地
３’：冷凍布地
５：被冷凍ユニット
１０：表紙
１１：仕切り板
１２：裏表紙
１３：孔
１４：リング
１５：留め具
１６：背表紙
１７：ストッパー
１８：支軸
２０：不凍シート
１００：冷凍装置
２００：係止台
２０２：不凍性の板
２０４：支柱
【図１（ａ）】
0003178636.tif 000003
【図１（ｂ）】
0003178636.tif 000004
【図１（ｃ）】
0003178636.tif 000005
【図１（ｄ）】
0003178636.tif 000006
【図２（ａ）】
0003178636.tif 000007
【図２（ｂ）】
0003178636.tif 000008
【図３（ａ）】
0003178636.tif 000009
【図３（ｂ）】
0003178636.tif 000010
【図４】
0003178636.tif 000011
【図５】
0003178636.tif 000012
【図６】
0003178636.tif 000013
【図７】
0003178636.tif 000014
【図８】
0003178636.tif 000015
【図９】
0003178636.tif 000016